(57)【要約】【課題】太陽光発電部において発電された余剰電力を有効利用することが可能な電力供給システムを提供する。【解決手段】太陽光発電部１０及び商用電源２００からの電力を負荷４０へと供給可能、かつ、余剰電力を商用電源２００へと逆潮流させることが可能な電力供給システム１であって、日射量センサ５０と、太陽光発電部１０の出力電圧Ｖｔを検出する第一電圧センサ６０と、太陽光発電部１０の出力電流を検出する電流センサ８０と、商用電源２００の供給電圧Ｖｓを検出する第二電圧センサ７０と、蓄電装置３０と、太陽光発電部１０において発電されると予測される予測電力Ｐｅを日射量に基づいて算出し、出力電圧Ｖｔ及び出力電流から算出される出力電力Ｐｔが予測電力Ｐｅよりも小さく、かつ、供給電圧Ｖｓが出力電圧Ｖｔよりも大きい場合、太陽光発電部１０からの出力電力Ｐｔを蓄電装置３０に充電させるホームサーバ９０と、を具備した。【選択図】図２
2014045635.tif 000002
【特許請求の範囲】
【請求項１】
太陽光発電部において発電された電力及び商用電源からの電力を負荷へと供給可能であると共に、前記太陽光発電部からの余剰電力を前記商用電源へと逆潮流させることが可能な電力供給システムであって、
前記太陽光発電部が受ける日射量を検出する日射量検出部と、
前記太陽光発電部からの出力電圧を検出する第一電圧検出部と、
前記太陽光発電部からの出力電流を検出する電流検出部と、
前記商用電源からの供給電圧を検出する第二電圧検出部と、
前記太陽光発電部からの電力を充放電可能な蓄電装置と、
前記太陽光発電部が受ける日射量に基づいて、当該太陽光発電部において発電されると予測される予測電力を算出し、
前記太陽光発電部からの出力電圧及び出力電流に基づいて算出される前記太陽光発電部からの出力電力が前記予測電力よりも小さく、
かつ、
前記商用電源からの供給電圧が前記太陽光発電部からの出力電圧よりも大きい場合、
前記太陽光発電部からの出力電力を前記蓄電装置に充電させる制御手段と、
を具備することを特徴とする、
電力供給システム。
【請求項２】
前記蓄電装置は、
前記太陽光発電部からの出力電力を充電すると同時に、充電された電力を負荷へと放電することが可能となるように構成されることを特徴とする、
請求項１に記載の電力供給システム。
【発明の詳細な説明】
【技術分野】
【０００１】
本発明は、太陽光発電部において発電された電力及び商用電源からの電力を負荷へと供給可能であると共に、前記太陽光発電部からの余剰電力を前記商用電源へと逆潮流させることが可能な電力供給システムの技術に関する。
【背景技術】
【０００２】
従来、太陽光発電部において発電された電力及び商用電源からの電力を負荷へと供給可能とすると共に、前記太陽光発電部からの余剰電力を前記商用電源へと逆潮流させることを可能とした電力供給システムの技術は公知となっている。
【０００３】
従来の電力供給システムにおいて、商用電源から太陽光発電部を有する需要家の住宅等へと供給される電力の電圧（配電線の電圧）は所定の変動幅内に収まるように調節されている。
【０００４】
需要家の住宅に設けられた負荷によって多くの電力が消費される場合（例えば、需要家（居住者）が帰宅している夜間の時間帯等）には、商用電源からの電力の電圧は低下する傾向にある。
【０００５】
一方、需要家の住宅に設けられた負荷がほとんど電力を消費しない場合（例えば、需要家が外出している昼間の時間帯等）には、商用電源からの電力の電圧はほとんど低下しない。
【０００６】
これに加えて、負荷がほとんど電力を消費しない昼間の時間帯には、太陽光を利用して太陽光発電部において多くの電力が発電される。当該発電された電力も負荷によって消費されることはほとんどないため、余った電力（余剰電力）は商用電源へと逆潮流され、電力会社へと売却（売電）される。
【０００７】
この余剰電力が商用電源へと逆潮流される場合、通常の電力の供給方向（商用電源から需要家側へ向かう方向）とは逆方向に電力を供給するために、需要家側の電圧が高くなるように調節される。すると、もともと商用電源からの電力の電圧がほとんど低下していない上に、さらに需要家側から電圧が上げられるため、配電線の電圧が前述の所定の変動幅を超えて上昇してしまうおそれがある。
【０００８】
これを防止するために、従来の電力供給システムでは、配電線の電圧が所定の変動幅を超えるおそれがあると判断した場合、太陽光発電部による発電量を抑制（減少）する制御が行われる。これによって、配電線の電圧を所定の変動幅内に収まるように調節することができる。しかし、このような太陽光発電部による発電量をあえて抑制する制御を行うと、本来発電できるはずの電力を無駄にすることになる。
【０００９】
そこで、従来の電力供給システムのような電力の無駄を無くすための技術が公知となっている。例えば、特許文献１に記載の如くである。
【００１０】
特許文献１に記載の技術は、発電部（太陽光発電部）において発電される電力や負荷において消費される電力の予測値等から、余剰電力が発生する時間帯と当該余剰電力の電力量の予測値を算出し、当該余剰電力が発生する時間帯に負荷を起動させるものである。
【００１１】
このように構成することによって、従来であれば逆潮流させるはずの余剰電力を負荷によって有効利用することができると共に、前述のような太陽光発電部による発電量を抑制する制御の実行を防止することができる。
【００１２】
しかしながら、特許文献１に記載の技術では、余剰電力が発生する時間帯に負荷を起動させることで当該余剰電力を消費させているため、当該時間帯には本来必要のない負荷にまで余剰電力を供給してしまう場合があり、当該余剰電力の有効利用が十分になされないおそれがある点で不利であった。
【先行技術文献】
【特許文献】
【００１３】
【特許文献１】特開２０１２−９５４８３号公報
【発明の概要】
【発明が解決しようとする課題】
【００１４】
本発明は以上の如き状況に鑑みてなされたものであり、その解決しようとする課題は、太陽光発電部において発電された余剰電力を有効利用することが可能な電力供給システムを提供することである。
【課題を解決するための手段】
【００１５】
本発明の解決しようとする課題は以上の如くであり、次にこの課題を解決するための手段を説明する。
【００１６】
即ち、請求項１においては、太陽光発電部において発電された電力及び商用電源からの電力を負荷へと供給可能であると共に、前記太陽光発電部からの余剰電力を前記商用電源へと逆潮流させることが可能な電力供給システムであって、前記太陽光発電部が受ける日射量を検出する日射量検出部と、前記太陽光発電部からの出力電圧を検出する第一電圧検出部と、前記太陽光発電部からの出力電流を検出する電流検出部と、前記商用電源からの供給電圧を検出する第二電圧検出部と、前記太陽光発電部からの電力を充放電可能な蓄電装置と、前記太陽光発電部が受ける日射量に基づいて、当該太陽光発電部において発電されると予測される予測電力を算出し、前記太陽光発電部からの出力電圧及び出力電流に基づいて算出される前記太陽光発電部からの出力電力が前記予測電力よりも小さく、かつ、前記商用電源からの供給電圧が前記太陽光発電部からの出力電圧よりも大きい場合、前記太陽光発電部からの出力電力を前記蓄電装置に充電させる制御手段と、を具備するものである。
【００１７】
請求項２においては、前記蓄電装置は、前記太陽光発電部からの出力電力を充電すると同時に、充電された電力を負荷へと放電することが可能となるように構成されるものである。
【発明の効果】
【００１８】
本発明の効果として、以下に示すような効果を奏する。
【００１９】
請求項１においては、太陽光発電部において発電された余剰電力を有効利用することができる。
【００２０】
請求項２においては、蓄電装置への充電と当該蓄電装置からの放電とを同時に行うことができ、余剰電力をより有効利用することができる。
【図面の簡単な説明】
【００２１】
【図１】本発明の第一実施形態に係る電力供給システムの構成を示したブロック図。
【図２】電力供給システムによる余剰電力を有効利用するための制御の様子を示したフローチャート。
【図３】本発明の第二実施形態に係る電力供給システムの構成を示したブロック図。
【発明を実施するための形態】
【００２２】
以下では、図１を用いて、本発明の第一実施形態に係る電力供給システム１の構成について説明する。
【００２３】
電力供給システム１は、電力の需要家の住宅等に設けられ、太陽光を利用して発電された電力及び商用電源２００からの電力を負荷へと供給可能であると共に、太陽光を利用して発電された電力のうち余剰電力を商用電源２００へと逆潮流させることが可能なものである。電力供給システム１は、主として太陽光発電部１０、パワーコンディショナ２０、蓄電装置３０、負荷４０、日射量センサ５０、第一電圧センサ６０、第二電圧センサ７０、電流センサ８０及びホームサーバ９０を具備する。
【００２４】
太陽光発電部１０は、太陽光を利用して発電する装置であり、太陽電池パネル等により構成される。太陽光発電部１０は、例えば、住宅の屋根の上等の日当たりの良い場所に設置される。
【００２５】
パワーコンディショナ２０は、太陽光発電部１０において発電された直流電力を交流電力に変換し、商用電源２００の電圧、周波数、位相に合わせる機能を有するものである。パワーコンディショナ２０は、太陽光発電部１０に接続される。
【００２６】
蓄電装置３０は、電力を充電すること、及び当該充電した電力を放電することが可能なものである。蓄電装置３０は、主としてインバータ３１及び蓄電池３２を具備する。
【００２７】
インバータ３１は、供給された交流電力を直流電力に変換（整流）して後述する蓄電池３２に充電させること、及び当該蓄電池３２からの直流電力を交流電力に変換して放電することが可能な、いわゆる双方向インバータである。インバータ３１は、パワーコンディショナ２０及び商用電源２００、並びに後述する蓄電池３２とそれぞれ接続される。
【００２８】
蓄電池３２は、電力を充放電可能に構成されるものである。蓄電池３２はインバータ３１と接続される。蓄電池３２は、本実施形態において、リチウムイオン電池やニッケル水素電池等により構成される。
【００２９】
負荷４０は、住宅内において電力が消費される電化製品等が接続される回路である。具体的には、例えば、住宅内に設けられるコンセントや照明、エアコン、冷蔵庫等に電力を供給する回路である。図１においては負荷４０を１つ図示しているが、実際には負荷４０（回路）は複数設けることが可能である。
【００３０】
日射量センサ５０は、本発明に係る日射量検出部の実施の一形態であり、日射量を測定するものである。日射量センサ５０は、太陽光発電部１０の近傍（太陽光発電部１０と同様に日当たりの良い場所）に設置される。
【００３１】
第一電圧センサ６０は、本発明に係る第一電圧検出部の実施の一形態であり、回路の所定位置における電圧を測定するものである。第一電圧センサ６０は、パワーコンディショナ２０の出力側に設けられ、当該パワーコンディショナ２０からの電圧、すなわち太陽光発電部１０からの電圧（出力電圧）Ｖｔを測定することができる。
【００３２】
第二電圧センサ７０は、本発明に係る第二電圧検出部の実施の一形態であり、回路の所定位置における電圧を測定するものである。第二電圧センサ７０は、商用電源２００の供給側（商用電源２００から需要家の住宅へと電力を供給する配電線）に設けられ、当該商用電源２００からの電圧（供給電圧）Ｖｓを測定することができる。
【００３３】
電流センサ８０は、本発明に係る電流検出部の実施の一形態であり、回路を流れる電流を測定するものである。電流センサ８０は、パワーコンディショナ２０の出力側に設けられ、当該パワーコンディショナ２０からの電流、すなわち太陽光発電部１０からの電流（出力電流）を測定することができる。
【００３４】
ホームサーバ９０は、本発明に係る制御手段の実施の一形態であり、電力供給システム１内の情報を管理すると共に、各機器の運転を制御するものである。ホームサーバ９０は、ＲＡＭやＲＯＭ等の記憶部、ＣＰＵ等の演算処理部等により構成される。
【００３５】
ホームサーバ９０は蓄電装置３０のインバータ３１に接続され、当該インバータ３１の運転を制御することができる。
ホームサーバ９０は日射量センサ５０に接続され、当該日射量センサ５０により測定された日射量の情報を受信することができる。
ホームサーバ９０は第一電圧センサ６０に接続され、当該第一電圧センサ６０により測定された出力電圧Ｖｔの情報を受信することができる。
ホームサーバ９０は第二電圧センサ７０に接続され、当該第二電圧センサ７０により測定された供給電圧Ｖｓの情報を受信することができる。
ホームサーバ９０は電流センサ８０に接続され、当該電流センサ８０により測定された前記出力電流の情報を受信することができる。
【００３６】
また、ホームサーバ９０は、第一電圧センサ６０により測定された出力電圧Ｖｔ、及び電流センサ８０により測定された前記出力電流に基づいて、パワーコンディショナ２０からの電力、すなわち太陽光発電部１０からの電力（出力電力）Ｐｔを測定（算出）することができる。
【００３７】
以下では、上述の如く構成された電力供給システム１における電力の供給態様の概略について説明する。
【００３８】
太陽光発電部１０において発電された直流電力は、パワーコンディショナ２０において交流電力に変換され、負荷４０に供給可能とされる。また、商用電源２００からの交流電力も負荷４０に供給可能とされる。すなわち、需要家は、太陽光発電部１０及び商用電源２００からの電力によって、照明を点灯させたり、エアコンを使用したりすることができる。
【００３９】
この場合において、負荷４０で消費する電力が太陽光発電部１０からの電力だけで十分まかなえる場合は、商用電源２００からの電力を用いないようにすることも可能である。これによって、電力料金を節約することができる。
【００４０】
次に、上述の如く構成された電力供給システム１において発生する逆潮流の概略について説明する。
【００４１】
上述の如く、負荷４０で消費する電力が太陽光発電部１０からの電力だけで十分まかなえる場合は、商用電源２００からの電力を用いることなく太陽光発電部１０からの電力だけを負荷４０に供給する。
【００４２】
負荷４０で消費する電力が太陽光発電部１０からの電力だけで十分まかなえる場合の具体例としては、需要家（住宅の居住者）が外出している昼間の時間帯等がある。
【００４３】
このような昼間の時間帯（特に晴天時）には、太陽光発電部１０が太陽の光を十分に受けて大量の電力を発電する一方、居住者は住宅から外出していることが多いため負荷４０が用いられることが少なく、太陽光発電部１０からの電力をあまり消費することがない。従って、太陽光発電部１０において発電された電力が負荷４０で消費しきれずに余ってしまう場合がある。
【００４４】
この余った電力（余剰電力）は、配電線を介して商用電源２００に供給（逆潮流）することで、電力会社に売ることができる。
【００４５】
余剰電力を商用電源２００へと逆潮流させる場合、通常の電力の供給方向（商用電源２００から需要家の住宅へ向かう方向）とは逆方向に電力を供給するために、太陽光発電部１０において発電された電気の電圧（出力電圧Ｖｔ）が高くなるようにパワーコンディショナ２０によって調節されている。これによって、通常とは逆に、商用電源２００へと電力を供給することができる。
【００４６】
次に、上述のような逆潮流を行う場合に発生し得る問題点について説明する。
【００４７】
上述の如く逆潮流を行うために太陽光発電部１０からの出力電圧Ｖｔを高く調節すると、それに伴って商用電源２００への配電線の電圧も上昇する。しかし、当該配電線における電圧は所定の変動幅内に収めなければならない旨が定められているため、当該電圧が前記所定の変動幅を超えて上昇するおそれがある場合、パワーコンディショナ２０によって太陽光発電部１０による発電量を抑制する制御（以下、この制御を単に「発電抑制制御」と記す）が行われる。
【００４８】
当該発電抑制制御によって、配電線の電圧を前記所定の変動幅内に収まるように調節することができるものの、太陽光発電部１０が本来発電できるはずの発電量が抑制されるため、当該抑制された分の電力を無駄にすることになる。
【００４９】
そこで以下では、図１及び図２を用いて、上述の電力の無駄の発生を防止し、余剰電力を有効利用するための電力供給システム１による制御態様について説明する。
【００５０】
ステップＳ１０１において、ホームサーバ９０は、日射量センサ５０により測定された日射量に基づいて、太陽光発電部１０で発電されると予測される電力（予測電力）Ｐｅを算出する。当該予測電力Ｐｅを算出する際に用いられる日射量と発電される電力との関係を示すマップは、予めホームサーバ９０に記憶されている。
ホームサーバ９０は、ステップＳ１０１の処理を行った後、ステップＳ１０２に移行する。
【００５１】
ステップＳ１０２において、ホームサーバ９０は、太陽光発電部１０からの出力電力Ｐｔが予測電力Ｐｅよりも小さいか否かを判定する。
ホームサーバ９０は、太陽光発電部１０からの出力電力Ｐｔが予測電力Ｐｅよりも小さいと判定した場合、ステップＳ１０３に移行する。
ホームサーバ９０は、太陽光発電部１０からの出力電力Ｐｔが予測電力Ｐｅよりも小さくない（予測電力Ｐｅ以上）であると判定した場合、一旦本制御を終了し、再度ステップＳ１０１の処理から再開する。
【００５２】
ステップＳ１０３において、ホームサーバ９０は、商用電源２００からの供給電圧Ｖｓが太陽光発電部１０からの出力電圧Ｖｔよりも大きいか否かを判定する。
ホームサーバ９０は、商用電源２００からの供給電圧Ｖｓが太陽光発電部１０からの出力電圧Ｖｔよりも大きいと判定した場合、ステップＳ１０４に移行する。
ホームサーバ９０は、商用電源２００からの供給電圧Ｖｓが太陽光発電部１０からの出力電圧Ｖｔよりも大きくない（出力電圧Ｖｔ以下）であると判定した場合、一旦本制御を終了し、再度ステップＳ１０１の処理から再開する。
【００５３】
ステップＳ１０４において、ホームサーバ９０は、太陽光発電部１０からの電力を蓄電装置３０（具体的には、蓄電池３２）に充電させるようにインバータ３１を制御する。
【００５４】
上述の如く、太陽光発電部１０からの出力電力Ｐｔが予測電力Ｐｅよりも小さく（ステップＳ１０２）、かつ商用電源２００からの供給電圧Ｖｓが太陽光発電部１０からの出力電圧Ｖｔよりも大きい（ステップＳ１０３）場合、パワーコンディショナ２０による発電抑制制御が行われていると予想される。
【００５５】
よって、この場合、太陽光発電部１０からの電力を蓄電装置３０に充電させる（ステップＳ１０４）。このようにして、太陽光発電部１０からの余剰電力を蓄電装置３０に充電することで配電線の電圧を低下させ、ひいては当該発電抑制制御を停止させることができる。
【００５６】
また、このようにして蓄電装置３０に一旦充電された電力は、後ほど必要に応じて有効利用することができる。
【００５７】
以上の如く、本実施形態に係る電力供給システム１は、太陽光発電部１０において発電された電力及び商用電源２００からの電力を負荷４０へと供給可能であると共に、太陽光発電部１０からの余剰電力を商用電源２００へと逆潮流させることが可能な電力供給システム１であって、太陽光発電部１０が受ける日射量を検出する日射量センサ５０（日射量検出部）と、太陽光発電部１０からの出力電圧Ｖｔを検出する第一電圧センサ６０（第一電圧検出部）と、太陽光発電部１０からの出力電流を検出する電流センサ８０（電流検出部）と、商用電源２００からの供給電圧Ｖｓを検出する第二電圧センサ７０（第二電圧検出部）と、太陽光発電部１０からの電力を充放電可能な蓄電装置３０と、太陽光発電部１０が受ける日射量に基づいて、当該太陽光発電部１０において発電されると予測される予測電力Ｐｅを算出し、太陽光発電部１０からの出力電圧Ｖｔ及び出力電流に基づいて算出される太陽光発電部１０からの出力電力Ｐｔが予測電力Ｐｅよりも小さく、かつ、商用電源２００からの供給電圧Ｖｓが太陽光発電部１０からの出力電圧Ｖｔよりも大きい場合、太陽光発電部１０からの出力電力Ｐｔを蓄電装置３０に充電させるホームサーバ９０（制御手段）と、を具備するものである。
このように構成することにより、太陽光発電部１０において発電された余剰電力を有効利用することができる。
【００５８】
なお、上述の発電抑制制御を停止させるための制御（図２参照）において蓄電装置３０（蓄電池３２）が満充電（又は、満充電に近い値まで電力が充電された状態）となった場合には、当該蓄電装置３０への充電を停止させるように構成することも可能である。これによって、蓄電装置３０への過充電を防止することができる。
【００５９】
また、蓄電装置３０は、上述の発電抑制制御を停止させるための制御（図２参照）の際に太陽光発電部１０からの余剰電力を充電するために用いるだけでなく、通常時においても活用することができる。
【００６０】
例えば、太陽光発電部１０及び商用電源２００からの電力を、適宜の時間帯に蓄電装置３０（より詳細には、蓄電池３２）に充電する。当該充電する時間帯は需要家が任意に設定することができる。ホームサーバ９０によってインバータ３１の運転を制御することで、蓄電池３２への充電の可否が制御される。
【００６１】
具体的には深夜に充電するように設定すれば、料金の安い深夜電力を蓄電池３２に充電することができる。また、昼間の太陽光が十分に照射される時間帯に太陽光発電部１０からの電力を充電するように設定すれば、当該太陽光発電部１０において自然エネルギー（太陽光）を利用して発電された電力を蓄電池３２に充電することができる。
【００６２】
一方、蓄電池３２に充電された電力を放電して負荷４０に供給することも可能である。蓄電池３２から負荷４０に電力を供給する時間帯は、需要家が任意に設定することができる。例えば深夜に充電した電力をその他（深夜以外）の時間帯に負荷４０に供給することによって、当該時間帯に商用電源２００から供給される電力（買電）を減らすことができ、電力料金を節約することができる。
【００６３】
また、負荷４０で使用する電力が、主に蓄電池３２からの電力だけで十分まかなえる場合は、太陽光発電部１０及び商用電源２００からの電力を用いないようにすることも可能である。
【００６４】
具体的には、深夜において、料金の安い深夜電力を商用電源２００から蓄電池３２に充電すると共に、住宅に需要家が不在であり負荷４０があまり使用されることがない昼間において、太陽光発電部１０からの電力を蓄電池３２に充電しておく。当該蓄電池３２に充電された電力を、需要家が住宅に帰宅してから就寝するまでの負荷４０が多く使用される時間帯に当該負荷４０へと供給する。これによって、電力料金を節約することができる。
【００６５】
以下では、図３を用いて、本発明の第二実施形態に係る電力供給システム１０１の構成について説明する。
【００６６】
なお、第二実施形態に係る電力供給システム１０１が第一実施形態に係る電力供給システム１（図１参照）と異なる点は、蓄電装置３０に換えて蓄電装置１３０を具備する点である。よって以下では、当該蓄電装置１３０の構成について説明し、その他の共通する構成（部材）については第一実施形態と同じ符号を付して説明を省略する。
【００６７】
図３に示す蓄電装置１３０は、電力を充電すること、及び当該充電した電力を放電することが可能なものである。蓄電装置３０は、主としてインバータ１３１、蓄電池１３２、充電器１３３及びスイッチ１３４を具備する。
【００６８】
インバータ１３１は、後述する蓄電池３２からの直流電力を交流電力に変換して放電することが可能なものである。インバータ１３１の電力の入力側は、後述する蓄電池１３２の電力の出力側と接続される。インバータ１３１の電力の出力側は、負荷４０と接続される。
【００６９】
蓄電池３２は、電力を充放電可能に構成されるものである。蓄電池３２は、本実施形態において、リチウムイオン電池やニッケル水素電池等により構成される。
【００７０】
充電器１３３は、供給された交流電力を直流電力に変換（整流）して蓄電池３２に充電させることが可能なものである。充電器１３３の電力の入力側は、パワーコンディショナ２０及び商用電源２００に接続される。充電器１３３の電力の出力側は、蓄電池３２の電力の入力側に接続される。
【００７１】
スイッチ１３４は、電力の流通の可否を切り替えるものである。スイッチ１３４は、充電器１３３と、パワーコンディショナ２０及び商用電源２００と、を接続する回路の中途部に設けられる。
【００７２】
以下では、図２及び図３を用いて、発電抑制制御による電力の無駄の発生を防止し、余剰電力を有効利用するための電力供給システム１０１による制御態様について説明する。
【００７３】
なお、第二実施形態における制御態様のフローチャートは、第一実施形態における制御態様（図２参照）と同様であるため、以下では第一実施形態における処理との相違点について説明する。
【００７４】
ステップＳ１０１からステップＳ１０３までの処理は、第一実施形態と同様である。
【００７５】
ステップＳ１０４において、ホームサーバ９０は、太陽光発電部１０からの電力を蓄電装置３０（具体的には、蓄電池３２）に充電させるようにスイッチ１３４を制御する。
【００７６】
具体的には、ホームサーバ９０はスイッチ１３４をＯＮ（電力の流通を許可する状態）となるように制御し、太陽光発電部１０からの電力を充電器１３３へと供給可能とする。充電器１３３へと供給された電力は、直流電力に変換（整流）されて蓄電池１３２へと充電される。
【００７７】
このように、第二実施形態に係る電力供給システム１０１においては、太陽光発電部１０からの電力を、インバータ１３１とは別に設けられた充電器１３３を介して蓄電池１３２へと充電可能としている。従って、充電器１３３を介して蓄電池１３２を充電すると同時に、インバータ１３１を介して蓄電池１３２から負荷４０へと電力を放電することができる。
【００７８】
これによって、太陽光発電部１０からの余剰電力をより有効利用することができる。
特に、蓄電装置１３０（蓄電池１３２）が一旦満充電となった場合には、当該蓄電装置１３０の電力が負荷４０へと供給されて消費されると同時にすかさず太陽光発電部１０からの電力を当該蓄電装置１３０に充電することができるため、太陽光発電部１０によって発電される電力の有効利用を図ることができる。
また、商用電源２００が停電した場合（非常時）には、太陽光発電部１０からの電力を蓄電装置１３０に充電しつつ、必要な負荷４０に必要な分だけ当該蓄電装置１３０から電力を供給することができ、電力の有効利用を図ることができる。
【００７９】
以上の如く、本実施形態に係る蓄電装置１３０は、太陽光発電部１０からの出力電力を充電すると同時に、充電された電力を負荷４０へと放電することが可能となるように構成されるものである。
このように構成することにより、蓄電装置１３０への充電と当該蓄電装置１３０からの放電とを同時に行うことができ、余剰電力をより有効利用することができる。
【００８０】
なお、本発明に係る電力供給システムは、個人の需要家の住宅だけでなく、工場等のその他の需要家に対しても適用することが可能である。
【００８１】
また、上記実施形態においては、本発明に係る第一電圧検出部及び電流検出部を、それぞれ別個のセンサ（第一電圧センサ６０及び電流センサ８０）で構成するものとしたが、本発明はこれに限るものではない。例えば、電圧と電流を同時に測定することが可能な１つのセンサ（電力センサ等）を、本発明に係る第一電圧検出部及び電流検出部として用いることも可能である。この場合、センサの数を２つ（第一電圧センサ６０及び電流センサ８０）から１つに削減することができる。
【符号の説明】
【００８２】
１      電力供給システム
１０    太陽光発電部
３０    蓄電装置
４０    負荷
５０    日射量センサ（日射量検出部）
６０    第一電圧センサ（第一電圧検出部）
７０    第二電圧センサ（第二電圧検出部）
８０    電流センサ（電流検出部）
９０    ホームサーバ（制御手段）
２００  商用電源
【図１】
2014045635.tif 000003
【図２】
2014045635.tif 000004
【図３】
2014045635.tif 000005